(57)【要約】【課題】結露が発生したとしても、その結露を蒸発させることができる演出表示装置（例えば、７セグメント表示器）及び遊技機とする。【解決手段】複数の断片状の開口からなるレンズ挿入穴を有するレンズハウス２４１と、レンズハウス２４１の前面側に取り付けられるエスカッション２３０と、レンズハウス２４１の開口に挿入されてセグメントを構成するレンズ２４２と、レンズ２４２の背後にセグメントに対応して配置された発光ダイオード２４５ａと、発光ダイオード２４５ａが発した光を対応するセグメントに個別に導く反射面２４４ａを有するリフレクタ２４４とを備え、エスカッション２３０とレンズハウス２４１の周囲との間の隙間によって形成され、開口に挿入されたレンズ２４２の表面側をレンズハウス２４１の外部に連通させるための通気口２６０を備える。【選択図】図１３
2009178438.tif 000002
【特許請求の範囲】
【請求項１】
複数のセグメントを一組として、少なくとも０〜９の１０種類の数字を表示可能な演出表示装置であって、
複数の断片状の開口からなるレンズ挿入穴を有するレンズハウスと、
前記レンズハウスの前面側に取り付けられるエスカッションと、
前記レンズハウスの前記開口に挿入されて前記セグメントを構成するレンズと、
前記レンズの背後に前記セグメントに対応して配置された発光部材と、
前記発光部材が発した光を対応する前記セグメントに個別に導く反射面を有するリフレクタと
を備え、
前記エスカッションと前記レンズハウスの周囲との間の隙間によって形成され、前記開口に挿入された前記レンズの表面側を前記レンズハウスの外部に連通させるための通気口を備える
ことを特徴とする演出表示装置。
【請求項２】
請求項１に記載の演出表示装置において、
前記通気口は、前記レンズハウスの通気口形成部と前記エスカッションの突起部とから構成されており、
前記突起部は、前記セグメントに導かれた光が前記レンズハウスの外部に漏れないように前記通気口形成部の内側に突出している
ことを特徴とする演出表示装置。
【請求項３】
複数のセグメントを一組として、少なくとも０〜９の１０種類の数字を表示可能な演出表示装置を備える遊技機であって、
前記演出表示装置は、
複数の断片状の開口からなるレンズ挿入穴を有するレンズハウスと、
前記レンズハウスの前面側に取り付けられるエスカッションと、
前記レンズハウスの前記開口に挿入されて前記セグメントを構成するレンズと、
前記レンズの背後に前記セグメントに対応して配置された発光部材と、
前記発光部材が発した光を対応する前記セグメントに個別に導く反射面を有するリフレクタと
を備え、
前記エスカッションと前記レンズハウスの周囲との間の隙間によって形成され、前記開口に挿入された前記レンズの表面側を前記レンズハウスの外部に連通させるための通気口を備える
ことを特徴とする遊技機。
【発明の詳細な説明】
【技術分野】
【０００１】
本発明は、７個のセグメントを一組として、少なくとも０〜９の１０種類の数字を表示可能な演出表示装置及び遊技機に係るものであり、詳しくは、演出表示装置の内部における結露の発生を防止できるようにした技術に関するものである。
【背景技術】
【０００２】
遊技機の１つであるスロットマシンは、遊技者がメダル投入口にメダルを投入するか、又はベットスイッチを操作することによって貯留メダルを投入し、スタートスイッチを操作して遊技を開始する。そして、スタートスイッチを操作すると、複数のリールがそれぞれ回転し、役の抽選が行われる。また、各リールに対応して設けられたストップスイッチを操作すれば、対応するリールの回転が停止し、停止した各リールの図柄の組合せが予め定められた何らかの当選役の図柄の組合せと一致したときにその役の入賞となり、それに応じてメダルの払出しが行われる。
【０００３】
ここで、遊技者に対しては、役の当選の可能性を告知等する演出が出力される。すなわち、告知演出を含む各種の演出時に、スロットマシンの上部ランプ、サイドランプ、及びバックランプが点灯又は点滅したり、スピーカからサウンドが出力されたりする。そして、その演出の内容によって役の抽選結果等が報知される。そのため、スロットマシンの演出は、遊技の進行における補助的役割を果たすものとして、極めて重要な要素となっている。なお、スロットマシンに限らず、弾球遊技機においても、遊技中の演出が重要な要素となっている点に変わりはない。
【０００４】
また、上部ランプ等やスピーカの他に、出力された演出を表示する演出表示装置として、液晶を用いて数字等を画像表示できるようにした液晶表示器や、７個のセグメントを８字形に配置してそれを横３列に並べ、０〜９の１０種類の数字を３桁で表示できるようにした７セグメント表示器等が知られている。そして、例えば、演出表示装置に「７７７」が表示されると大当たりとなり、遊技者にとって有利な特別遊技に移行する。
【０００５】
このように、７セグメント表示器等の演出表示装置は、告知演出等の最も効果的な出力手段であり、スロットマシンや弾球遊技機といった遊技機に広く使用されている。そして、特に、７セグメント表示器は、液晶表示器等と比べて低コストであり、表示制御も複雑でないという利点を有している（例えば、特許文献１参照）。
【特許文献１】特開２００４−１１３６８４号公報
【発明の開示】
【発明が解決しようとする課題】
【０００６】
上記の特許文献１に開示された技術は、７個のセグメントを８字形として中央に配置するとともに、中央の８字形の左側に５個のセグメントからなる３字形の鏡文字を配置し、中央の８字形の右側に５個のセグメントからなる正規の３字形を配置して、数字と英字とを表示できるようにしたものである。そのため、７セグメント表示器の表現力が豊かになる。
【０００７】
しかし、特許文献１の技術は、７セグメント表示器内の結露の発生について、何ら考慮されていない。すなわち、従来の７セグメント表示器では、結露が蒸発せずに残るため、各セグメントの視認性に悪影響を及ぼす等の問題があったが、特許文献１の技術でも、結露に起因する問題が残っている。
【０００８】
したがって、本発明が解決しようとする課題は、結露が発生したとしても、その結露を蒸発させることができる演出表示装置（例えば、７セグメント表示器）及び遊技機とすることである。
【０００９】
本発明は、以下の解決手段によって上述の課題を解決する。
請求項１の発明は、複数のセグメントを一組として、少なくとも０〜９の１０種類の数字を表示可能な演出表示装置であって、複数の断片状の開口からなるレンズ挿入穴を有するレンズハウスと、前記レンズハウスの前面側に取り付けられるエスカッションと、前記レンズハウスの前記開口に挿入されて前記セグメントを構成するレンズと、前記レンズの背後に前記セグメントに対応して配置された発光部材と、前記発光部材が発した光を対応する前記セグメントに個別に導く反射面を有するリフレクタとを備え、前記エスカッションと前記レンズハウスの周囲との間の隙間によって形成され、前記開口に挿入された前記レンズの表面側を前記レンズハウスの外部に連通させるための通気口を備えることを特徴とする。
【００１０】
請求項２の発明は、請求項１に記載の演出表示装置において、前記通気口は、前記レンズハウスの通気口形成部と前記エスカッションの突起部とから構成されており、前記突起部は、前記セグメントに導かれた光が前記レンズハウスの外部に漏れないように前記通気口形成部の内側に突出していることを特徴とする。
【００１１】
請求項３の発明は、複数のセグメントを一組として、少なくとも０〜９の１０種類の数字を表示可能な演出表示装置を備える遊技機であって、前記演出表示装置は、複数の断片状の開口からなるレンズ挿入穴を有するレンズハウスと、前記レンズハウスの前面側に取り付けられるエスカッションと、前記レンズハウスの前記開口に挿入されて前記セグメントを構成するレンズと、前記レンズの背後に前記セグメントに対応して配置された発光部材と、前記発光部材が発した光を対応する前記セグメントに個別に導く反射面を有するリフレクタとを備え、前記エスカッションと前記レンズハウスの周囲との間の隙間によって形成され、前記開口に挿入された前記レンズの表面側を前記レンズハウスの外部に連通させるための通気口を備えることを特徴とする。
【００１２】
（作用）
上記の発明においては、エスカッションとレンズハウスの周囲との間の隙間によって形成され、開口に挿入されたレンズの表面側をレンズハウスの外部に連通させるための通気口を備えている。そのため、結露が発生したとしても、その結露を通気口（エスカッションとレンズハウスの周囲との間の隙間）から蒸発させることができる。
【発明の効果】
【００１３】
本発明によれば、結露が発生したとしても、その結露が通気口（エスカッションとレンズハウスの周囲との間の隙間）から蒸発する。そのため、結露に起因して、各セグメントの視認性が悪化する等の問題がなくなる。
【発明を実施するための最良の形態】
【００１４】
以下、図面を参照して、本発明の実施形態について説明する。
なお、以下の実施形態では、本発明の遊技機として、スロットマシン１０を例に挙げて説明する。
【００１５】
図１は、本実施形態のスロットマシン１０を示す前面側の正面図である。
また、図２は、図１中、スロットマシン１０のフロントマスク部１２を開放し、基体部１１の内部が見えるように図示した正面図である。
図１及び図２に示すように、スロットマシン１０の筐体は、基体部１１と、基体部１１の前面側に取り付けられたフロントマスク部１２とから構成されている。
【００１６】
このフロントマスク部１２は、基体部１１の開口面を覆うようにして、基体部１１に開閉自在に取り付けられたものである。そして、図１に示すように、フロントマスク部１２の遊技者側の下方部には、ベットスイッチ４０、スタートスイッチ４１、３つのストップスイッチ４２、メダル投入口４３等が配置されている。
【００１７】
ここで、ベットスイッチ４０は、メダル投入口４３からのメダルの投入と同様に、遊技者が貯留メダルを投入するときに操作するスイッチである。また、スタートスイッチ４１は、後述する図柄変動表示装置３０の各リール３１を始動させるときに遊技者が操作するスイッチである。さらにまた、各ストップスイッチ４２は、３つのリール３１に対応して３つ設けられ、対応する各リール３１を個別に停止させるときに遊技者が操作するスイッチである。なお、停止した各リール３１の図柄は、フロントマスク部１２の中央部に設けられた透明窓１３から透視できるようになっている。
【００１８】
また、遊技中における各種の演出が実行できるように、フロントマスク部１２の上方部には、上部ランプ２１ａと、２つのスピーカ２２と、７セグメント表示器２００（本発明における演出表示装置に相当するもの）とが配置されている。さらにまた、フロントマスク部１２の左右両端部には、サイドランプ２１ｂが配置されている。なお、７セグメント表示器２００は、０〜９の１０種類の数字を３桁で表示可能なものであり、３桁の各数字は、透明な保護パネル２２０を介して見ることができる。
【００１９】
一方、基体部１１は、木材等を組み立てて、前面側が開口する中空箱形に構成したものである。そして、基体部１１の内部であって、その下方部には、図２に示すように、電源ユニット１０１と、ホッパータンクに貯留されたメダルを払い出すメダル払出し装置１０２とが設けられている。
【００２０】
また、メダル払出し装置１０２の上方部には、リールベース１０３が固定されており、このリールベース１０３上に、リング状の３つのリール３１を並設した図柄変動表示装置３０が取り付けられている。そして、図柄変動表示装置３０における各リール３１の回転中心部には、ステッピングモータからなるリール３１の駆動用のモータ３２（図３参照）がそれぞれ連結されており、各モータ３２の駆動制御によって各リール３１が個別に回転するようになっている。なお、各リール３１の内周内側には、それぞれ３つのバックランプ２１ｃが取り付けられている。
【００２１】
さらにまた、各リール３１の外周面には、複数の図柄（役を構成する図柄）を印刷したリールテープがそれぞれ貼り付けられており、このリールテープによって２１個の図柄が表示される。そのため、フロントマスク部１２側からは、透明窓１３を通して、個々のリール３１において上下に連続する３つの図柄が見えるようになる。すなわち、図１に示すように、透明窓１３からは、各リール３１の合計９個の図柄が透視でき、各リール３１の停止時における図柄の組合せラインとなる有効ラインは、水平方向上段、中段、及び下段と、右下がり及び右上がりの斜め方向の各ライン（図１中、２点鎖線部）の合計５本となっている。
【００２２】
このような本実施形態のスロットマシン１０において、役の抽選を含む遊技の進行等の全体は、メイン制御基板１０４（図２参照）によって統括制御される。すなわち、図２に示すように、図柄変動表示装置３０の上方部に透明なメイン基板ケース１０５が配置され、このメイン基板ケース１０５内にメイン制御基板１０４が収容されている。そして、メイン制御基板１０４には、図示はしないが、演算等を行うＣＰＵ、遊技プログラムを記憶したＲＯＭ、遊技用等のデータを一時的に記憶するＲＡＭ等が実装されている。なお、メイン制御基板１０４は、不正を防止するため、メイン基板ケース１０５内に収容された後にかしめされ、封印されている。
【００２３】
また、フロントマスク部１２の後面側（裏面側）の上方部には、サブ制御基板２４８が配置されている。このサブ制御基板２４８は、メイン制御基板１０４の下位に属するものであり、遊技中における演出を制御する基板であって、図示はしないが、演算等を行うＣＰＵ、演出プログラム及び演出用のデータを記憶したＲＯＭ、各種のデータを一時的に記憶するＲＡＭ等を備えている。そして、サブ制御基板２４８は、図示しないハーネス（電気配線の束）によってメイン制御基板１０４と電気的に接続され、メイン制御基板１０４からサブ制御基板２４８に対して演出実行指令等が送信されるようになっている。なお、サブ制御基板２４８は、サブ基板カバー２４９内に収容された後にかしめされている。
【００２４】
このように、本実施形態のスロットマシン１０は、メイン制御基板１０４及びサブ制御基板２４８を備えており、メイン制御基板１０４上に実装されたＣＰＵ、ＲＯＭ、及びＲＡＭ等によってメイン制御手段６０ａ（図３参照）が構成され、役の抽選、各リール３１の駆動制御、入賞時の払出し等といった遊技の進行が制御される。また、サブ制御基板２４８上に実装されたＣＰＵ、ＲＯＭ、及びＲＡＭ等によってサブ制御手段６０ｂ（図３参照）が構成され、上部ランプ２１ａ、サイドランプ２１ｂ、及びバックランプ２１ｃの点灯又は点滅、スピーカ２２からのサウンドの出力、７セグメント表示器２００による数値表示等の演出が制御される。
【００２５】
図３は、本実施形態のスロットマシン１０による制御の概略を示すブロック図である。
図３に示すように、スロットマシン１０は、遊技制御手段６０を備えており、遊技制御手段６０は、メイン制御手段６０ａ及びサブ制御手段６０ｂによって構成されている。そして、メイン制御手段６０ａの入力側（図３中、左側）に、ベットスイッチ４０、スタートスイッチ４１、及び３つのストップスイッチ４２がそれぞれ接続され、メイン制御手段６０ａの出力側（図３中、右側）に、３つのリール３１を回転駆動させるためのモータ３２がそれぞれ個別に接続されている。また、サブ制御手段６０ｂの出力側には、上部ランプ２１ａ、サイドランプ２１ｂ、バックランプ２１ｃ、スピーカ２２、及び７セグメント表示器２００が接続されている。
【００２６】
このような本実施形態のスロットマシン１０によって遊技を行うには、遊技者がメダル投入口４３（図１参照）からメダルを投入するか、又はベットスイッチ４０を操作することによって貯留メダルを投入する。すると、有効ラインが有効化される。そして、遊技者がスタートスイッチ４１を操作すると、そのときに発生する信号がメイン制御手段６０ａに入力され、メイン制御手段６０ａは、この信号に基づいて各モータ３２を駆動し、全てのリール３１が回転するように制御する。そのため、透明窓１３（図１参照）内において、各リール３１の図柄が所定の速度で上下方向に移動表示されることとなる。また、メイン制御手段６０ａは、スタートスイッチ４１が操作されたときは、役の抽選を行い、役の抽選結果の情報をサブ制御手段６０ｂに送信する。
【００２７】
次に、ストップスイッチ４２が操作されると、そのときに発生する信号がメイン制御手段６０ａに入力され、メイン制御手段６０ａは、モータ３２を駆動して、操作されたストップスイッチ４２に対応するリール３１を停止させるように制御する。そして、全てのリール３１の停止時に、各リール３１における有効ライン上の図柄の組合せが予め定められた何らかの役の図柄の組合せと一致し、その役の入賞となったときは、入賞した役に応じて、メダル払出し装置１０２（図２参照）によるメダルの払出し等が行われる。また、メイン制御手段６０ａは、ストップスイッチ４２が操作された旨の信号を受信すると、その情報をサブ制御手段６０ｂに送信する。
【００２８】
このように、メイン制御手段６０ａは、各モータ３２の駆動制御による各リール３１の回転及び停止、役の抽選、入賞時の払出し等といった遊技の進行を制御するとともに、各種の情報をサブ制御手段６０ｂに送信する。そのため、メイン制御手段６０ａは、役抽選手段６１、役抽選テーブル６２、リール制御手段６３、停止位置決定テーブル６４、停止図柄判別手段６５、払出し手段６６、特別遊技制御手段６７、及び情報送信手段６８を備えている。
【００２９】
ここで、役抽選手段６１は、役の抽選を行うものであり、本実施形態のスロットマシン１０における役の種類には、特別役（ＢＢ及びＲＢ）、小役、リプレイ等が設けられている。なお、ＢＢ（ビックボーナス）は、特別役に相当する役の１つであって、特別遊技の１つに相当するＢＢ遊技に移行させる役である。また、ＲＢ（レギュラーボーナス）もＢＢと同様に特別役に相当する役の１つであって、特別遊技の１つに相当するＲＢ遊技に移行させる役である。さらにまた、小役とは、予め定められた数のメダルが払い出される役である。さらに、リプレイとは、再遊技役であって、メダルが自動投入され、次遊技（再遊技）が行える役である。
【００３０】
役抽選テーブル６２は、抽選される役の種類と各役の当選確率とを定めたものである。そして、遊技状態（通常遊技の非内部中、通常遊技の内部中、特別遊技中）ごとに、特有の役抽選テーブル６２が設けられており、各役抽選テーブル６２は、それぞれ所定の範囲の抽選領域を有し、この抽選領域は、各役の当選領域及び非当選領域に分けられているとともに、抽選される役が予め設定された当選確率となるように所定の割合に設定されている。
【００３１】
リール制御手段６３は、先ず、スタートスイッチ４１が操作されたときに、各モータ３２を駆動制御して、全て（３つ）のリール３１の回転を開始するように制御するものである。また、リール制御手段６３は、ストップスイッチ４２が操作されたときのタイミングに基づいて、後述する停止位置決定テーブル６４を参照し、そのストップスイッチ４２に対応するリール３１の停止位置を決定するとともに、モータ３２を駆動制御して、その決定した位置にそのリール３１を停止させるように制御するものである。
【００３２】
停止位置決定テーブル６４は、役抽選手段６１による役の抽選結果と、ストップスイッチ４２が操作された瞬間のリール３１の位置とから、リール３１の図柄の停止位置（リール３１の停止時における有効ライン上の図柄）を定めたものである。そのため、リール制御手段６３は、停止位置決定テーブル６４を用いて、役に当選した遊技では、リール３１の停止制御の範囲内において、当選役に対応する図柄の組合せが有効ラインに停止するようにリール３１を停止制御するとともに、当選役以外の役に対応する図柄の組合せが有効ラインに停止しないようにリール３１を停止制御する。
【００３３】
停止図柄判別手段６５は、リール３１の停止時に、有効ラインに停止したリール３１の図柄の組合せがいずれかの役に対応する図柄の組合せと一致するか否かを判別するものである。この停止図柄判別手段６５は、例えば、各モータ３２の停止時の角度やステップ数等を検知することにより、有効ライン上の図柄を判別する。
【００３４】
払出し手段６６は、停止図柄判別手段６５により、リール３１の停止時に有効ラインに停止した図柄の組合せがいずれかの役に対応する図柄の組合せと一致すると判別され、その役の入賞となったときに、その入賞役に応じた所定枚数のメダルを遊技者に対して払い出すか、又はクレジットの加算等の処理を行うものである。なお、リプレイの入賞時は、メダルを払い出すことなく、当該遊技で投入されたメダル枚数を自動投入するように制御する。
【００３５】
特別遊技制御手段６７は、特別遊技（ＢＢ遊技及びＲＢ遊技）の開始（通常遊技から特別遊技への移行）、特別遊技中の遊技の進行、及び特別遊技の終了（特別遊技から通常遊技への移行）等を制御するものである。すなわち、特別遊技制御手段６７は、ＢＢに対応する図柄の組合せが有効ラインに停止したときは、通常遊技からＢＢ遊技に移行させ、ＲＢに対応する特定の図柄の組合せが有効ラインに停止したときには、通常遊技からＲＢ遊技に移行させる。
【００３６】
情報送信手段６８は、毎遊技ごとに、ベットスイッチ４０が操作された旨の情報（メダルの投入に係る情報）、スタートスイッチ４１が操作された旨の情報、役抽選手段６１による役の抽選結果の情報（当選役の情報）、ストップスイッチ４２が操作された旨の情報、各リール３１の停止位置の情報、及び払い出されたメダルの枚数の情報等をサブ制御手段６０ｂに送信するものである。
【００３７】
次に、サブ制御手段６０ｂは、メイン制御手段６０ａから送信された情報を受信し、受信した情報に基づいて、役の当選の可能性を告知等する演出の出力を制御する。そのため、サブ制御手段６０ｂは、情報受信手段７１、演出パターン記憶手段７２、演出パターン選択手段７３、及び演出制御手段７４を備えている。
【００３８】
ここで、情報受信手段７１は、メイン制御手段６０ａの情報送信手段６８から送信されてくる情報を受信するものである。すなわち、メダル投入口４３（図１参照）からメダルが投入された旨の信号、ベットスイッチ４０、スタートスイッチ４１、及びストップスイッチ４２が操作された旨の信号を受信することで、サブ制御手段６０ｂ側でこれらが操作等されたことを知ることができる。また、役の抽選結果、各リール３１の停止位置、及び払い出されたメダル枚数等もサブ制御手段６０ｂ側で知ることができる。
【００３９】
演出パターン記憶手段７２は、複数種類の演出パターンを記憶しているものである。この演出パターンは、遊技の進行に伴って、どのようなタイミングで（例えば、スタートスイッチ４１の操作時、各ストップスイッチ４２の操作時に）、何に基づいて（例えば、役の抽選結果に基づいて）、どのような演出を出力するか（例えば、上部ランプ２１ａ、サイドランプ２１ｂ、及びバックランプ２１ｃをどのように点灯、点滅、又は消灯させるか、スピーカ２２からどのようなサウンドを出力するか、７セグメント表示器２００にどのような数字を表示するか、その数字の変動時間の長さや発光色等をどうするか等）を定めたものであり、当選役に応じて複数種類が設けられている。
【００４０】
演出パターン選択手段７３は、遊技ごとに、メイン制御手段６０ａの役抽選手段６１による役の抽選結果に基づいて、演出パターン記憶手段７２に記憶されている複数種類の演出パターンの中からいずれか１つの演出パターンを選択する。また、演出制御手段７４は、演出パターン選択手段７３によって選択された演出パターンに従い、所定のタイミングで演出の出力を制御する。すなわち、演出制御手段７４は、役抽選手段６１による役の抽選結果に基づいて、遊技中における演出の出力を制御する。
【００４１】
このように、サブ制御手段６０ｂは、メイン制御手段６０ａによる役の抽選結果等に基づいて、演出の出力を制御する。そして、停止した各リール３１の図柄の組合せによって遊技結果が決定するまで（少なくとも１つのリール３１の回転中）や、遊技結果が決定した後（全てのリール３１の停止後）に、７セグメント表示器２００は、サブ制御手段６０ｂの演出制御手段７４によって出力された３桁の数値を表示し、当該遊技又は当該遊技前の役の当選可能性がどの程度であるか等を報知する。
【００４２】
例えば、役の抽選結果が非当選の場合には、７セグメント表示器２００に表示される数値の最終停止形が「１２３」、「６６８」等のぞろ目以外となったり、リプレイ当選時や小役当選時には、「０００」となったりする。また、７セグメント表示器２００の百の位、十の位、一の位と順に停止させていき、百の位と十の位とが停止した時点で同一目となったときは、リーチ演出を行う。そして、ボーナス非当選時には、ぞろ目とならないで停止するが、ボーナス当選時（内部中）は、ぞろ目で停止する。さらにまた、ぞろ目以外でも、１００（点）が出ると大当たりとなる。なお、ボーナス（ＢＢ又はＲＢ）遊技中は、７セグメント表示器２００に遊技回数、入賞回数、獲得枚数等が表示される。
【００４３】
図４は、本実施形態のスロットマシン１０における７セグメント表示器２００の構成を示す分解斜視図である。
また、図５は、本実施形態のスロットマシン１０における７セグメント表示器２００の構成を示す分解背面図である。
図４及び図５に示すように、７セグメント表示器２００は、フロントマスク部１２（図１参照）に取り付けられるセグメントマスク２１０、セグメントマスク２１０の後面側に取り付けられる透明な保護パネル２２０、エスカッション２３０、及び０〜９の１０種類の数字を３桁で表示可能な７セグユニット２４０によって構成されている。
【００４４】
ここで、セグメントマスク２１０は、フロントマスク部１２（図１参照）と一体となってスロットマシン１０の外観を構成するもので、中央部には、７セグユニット２４０に表示される３桁の数字を遊技者が視認できるように、表示窓２１１が開口している。また、表示窓２１１の両側には、スピーカ２２（図５参照）が発する演出音等を外部に伝達できるように、一対の小窓２１２が開口している。さらにまた、図５に示すように、セグメントマスク２１０の後面側であって、表示窓２１１の上部中央及び各小窓２１２の外側には、エスカッション２３０を固定するための３つのエスカッション取付けネジ穴２１３が形成されている。
【００４５】
保護パネル２２０は、７セグユニット２４０の前面側を保護するための透明板であり、透明樹脂（アクリル樹脂等）やガラス等から形成され、エスカッション２３０によって支持される。そして、エスカッション２３０に支持された保護パネル２２０は、エスカッション２３０がセグメントマスク２１０の後面側に取り付けられると、セグメントマスク２１０に開口する表示窓２１１を塞ぐようになる。そのため、７セグユニット２４０に表示される３桁の数字を遊技者が視認できるようにしつつ、７セグユニット２４０の前面側が保護パネル２２０によって保護されることとなる。
【００４６】
エスカッション２３０は、保護パネル２２０、７セグユニット２４０、スピーカ２２（図５参照）をセグメントマスク２１０に取り付けるための部材であり、セグメントマスク２１０の表示窓２１１に相対する中央部には、保護パネル２２０に対応する大きさの保護パネル取付け穴２３１が開口している。
【００４７】
また、保護パネル取付け穴２３１の両側であって、セグメントマスク２１０の２つの小窓２１２に対応する位置には、２つのスピーカ２２を取り付けるためのスピーカ取付け穴２３２がそれぞれ開口している。そして、エスカッション２３０に取り付けられた各スピーカ２２は、エスカッション２３０がセグメントマスク２１０の後面側に取り付けられると、セグメントマスク２１０の各小窓２１２を塞ぐようになる。
【００４８】
さらにまた、エスカッション２３０の上部中央及び各スピーカ取付け穴２３２の外側には、セグメントマスク２１０の３つのエスカッション取付けネジ穴２１３（図５参照）に対応して、３つのエスカッション取付け片２３３が形成されている。
【００４９】
さらに、エスカッション２３０の上部左右には、エスカッション２３０に７セグユニット２４０を取り付ける際の位置決めとなり、７セグユニット２４０の取付け作業性を向上させるための２つの７セグユニット位置決め片２３４と、７セグメント表示器２００をフロントマスク部１２（図１参照）の前面側から挿入してフロントマスク部１２に取り付けるための２つの表示器取付け片２３５とが設けられている。
【００５０】
また、図４に示すように、エスカッション２３０の前面側であって、保護パネル取付け穴２３１の周囲には、保護パネル２２０を支持するための段差部２３６が形成されている。一方、図５に示すように、エスカッション２３０の後面側であって、保護パネル取付け穴２３１の左右両側には、７セグユニット２４０を固定するための４つの７セグユニット取付けネジ穴２３７が形成され、各スピーカ取付け穴２３２の周囲には、スピーカ２２を固定するための４つのスピーカ取付けネジ穴２３８が形成されている。
【００５１】
７セグユニット２４０は、７セグメント表示器２００の中核となるもので、７個のセグメント２４０ａ（図４参照）を一組として０〜９の１０種類の数字を表示可能としたものであり、それを横３列に並べることにより、３桁の数字を遊技者に報知できるようになっている。そして、この７セグユニット２４０は、エスカッション２３０の後面側に取り付けられるように、左右両側に４つの７セグユニット取付け片２４１ａが形成されている。
【００５２】
また、７セグユニット２４０の上部左右には、７セグユニットガイド２４１ｂ（図４参照）がそれぞれ設けられている。この７セグユニットガイド２４１ｂは、７セグユニット２４０をエスカッション２３０に取り付ける際に、エスカッション２３０の２つの７セグユニット位置決め片２３４にそれぞれ載置されて位置決めとなるものである。そのため、７セグユニット２４０の取付け作業性が向上する。
【００５３】
さらにまた、７セグユニット２４０の周囲には、通気口形成部２４１ｃ（図４参照）が設けられており、７セグユニット２４０がエスカッション２３０に取り付けられた際に、エスカッション２３０との間に一定の隙間が形成され、この隙間が通気口２６０（図１３参照）となる。そのため、保護パネル２２０の後面側やセグメント２４０ａの部分に結露が発生することがあっても、その結露が通気口２６０から蒸発するようになるので、効果的な結露対策となる。なお、図５に示すように、７セグユニット２４０の後面側には、サブ制御手段６０ｂ（図３参照）を構成するサブ制御基板２４８がサブ基板カバー２４９内に収容された状態で取り付けられている。
【００５４】
図６は、このような７セグメント表示器２００における７セグユニット２４０の構成を示す分解斜視図である。
図６に示すように、７セグユニット２４０は、レンズハウス２４１、レンズ２４２、拡散シート２４３、リフレクタ２４４、７セグ表示基板２４５、７セグ表示基板カバー２４６、サブ基板ベース２４７、サブ制御基板２４８、サブ基板カバー２４９、及びカシメピン２５０によって構成されている。
【００５５】
ここで、レンズハウス２４１は、７セグユニット２４０のベースとなるもので、上述したように、左右両側に形成された４つの７セグユニット取付け片２４１ａによってエスカッション２３０（図４参照）に取り付けられる。すなわち、レンズハウス２４１の前面側にエスカッション２３０が取り付けられることとなり、取付けの際には、レンズハウス２４１の上部左右に設けられた２つの７セグユニットガイド２４１ｂが位置決めとなる。そして、取り付けられた状態では、エスカッション２３０と、レンズハウス２４１の周囲に設けられた通気口形成部２４１ｃとの間に隙間が形成され、この隙間がレンズハウス２４１の通気口２６０（図１３参照）となる。
【００５６】
また、レンズハウス２４１の中央部には、３つのレンズ２４２を挿入するためのレンズ挿入穴２４１ｄが横３列で並べられている。そして、各レンズ挿入穴２４１ｄは、７個の断片状の開口Ｎ１〜Ｎ７（図７参照）が８字形に配置されたものとなっており、レンズ挿入穴２４１ｄにレンズ２４２を挿入することで、セグメント２４０ａ（図４参照）が構成される。なお、各レンズ２４２の後面側には、発光ダイオード２４５ａ（本発明における発光部材に相当するもの）の光を透過しつつ拡散させるフィルム状の拡散シート２４３がそれぞれ配置され、各拡散シート２４３を介した各レンズ２４２の後面側には、発光ダイオード２４５ａが発する光を各レンズ２４２に向けて導くためのリフレクタ２４４が配置される。
【００５７】
このように、レンズハウス２４１の各レンズ挿入穴２４１ｄに挿入された各レンズ２４２により、０〜９の１０種類の数字を３桁で表示するための各セグメント２４０ａ（図４参照）が構成される。そして、各数字は、７セグ表示基板２４５に配置された発光ダイオード２４５ａによって表示される。すなわち、発光ダイオード２４５ａは、７セグ表示基板２４５の前面側で８字形に組み合わされ、各８字形が３つ並ぶように配置されている。そのため、発光ダイオード２４５ａを表示する数字に合わせて発光させることにより、遊技者がその数字を視認できるようになる。なお、発光ダイオード２４５ａは、２つをペアにして８字形に配置（中央の８字形の例）しても、１つずつ８字形に配置（左右の８字形の例）しても良い。また、赤・緑・青の３色を一組として８字形に配置しても良い。
【００５８】
この７セグ表示基板２４５は、７セグ表示基板カバー２４６内に収容される。すなわち、７セグ表示基板カバー２４６には、７セグ表示基板２４５の後面側に合わせた形状の収容部２４６ａが形成されている。そして、レンズ２４２をレンズハウス２４１のレンズ挿入穴２４１ｄに挿入し、拡散シート２４３及びリフレクタ２４４を間に挟み込んだ状態で７セグ表示基板２４５をレンズハウス２４１に取り付けるとともに、収容部２４６ａに７セグ表示基板２４５を収容するようにして７セグ表示基板カバー２４６をレンズハウス２４１の後面側に取り付ける。
【００５９】
また、７セグユニット２４０によってどのような数字を表示するか（各発光ダイオード２４５ａをどの組合せで発光させるか）は、演出制御手段７４（図３参照）となるサブ制御基板２４８によって制御される。そして、サブ制御基板２４８は、サブ基板ベース２４７とサブ基板カバー２４９との間に収容され、サブ基板ベース２４７の下部左右に設けられた２つの基板ベース取付け片２４７ａにより、７セグ表示基板カバー２４６の後面側に取り付けられる。なお、サブ基板カバー２４９は、４つのカシメピン２５０によってかしめされ、サブ制御基板２４８を収容した状態で封印される。
次に、このような７セグユニット２４０を構成するレンズハウス２４１、レンズ２４２、リフレクタ２４４、及び７セグ表示基板カバー２４６の詳細について説明する。
【００６０】
図７は、７セグユニット２４０を構成するレンズハウス２４１を示す背面図及び斜視図である。
図７に示すように、レンズハウス２４１の左右両側には、４つの７セグユニット取付け片２４１ａが形成され、上部左右には、２つの７セグユニットガイド２４１ｂが設けられている。
【００６１】
また、レンズハウス２４１の中央部には、７個の断片状の開口Ｎ１〜Ｎ７が８字形に配置されたレンズ挿入穴２４１ｄが横３列に形成されている。そして、レンズ２４２が入り込むレンズ挿入穴２４１ｄの各開口Ｎ１〜Ｎ７の間には、各開口Ｎ１〜Ｎ７同士の隣接領域の全長（開口Ｎ１と開口Ｎ５、開口Ｎ３と開口Ｎ７との間では、隣接領域の全長以上）にわたって光漏れ防止壁であるリブ２４１ｅが形成されており、近隣（隣接するセグメント２４０ａ（図４参照））への光漏れを防止している。なお、図７では、中央列のレンズ挿入穴２４１ｄの開口Ｎ４にレンズ２４２の一部（中央レンズ２４２ａのみ）を挿入し、向かって右列のレンズ挿入穴２４１ｄの開口Ｎ１〜Ｎ７にレンズ２４２を全部（中央レンズ２４２ａ及び周辺レンズ２４２ｂ）を挿入した状態を示している。
【００６２】
さらにまた、レンズハウス２４１の後面側には、リフレクタ２４４（図６参照）を間に挟んで７セグ表示基板２４５（図６参照）を取りつけるための６つの７セグ表示基板取付けネジ穴２４１ｆが形成されている。なお、レンズ２４２は、リフレクタ２４４及び７セグ表示基板２４５を取り付ける前に、レンズ挿入穴２４１ｄに挿入しておく。
【００６３】
図８は、７セグユニット２４０を構成するレンズ２４２を示す正面図である。
図８（ａ）に示すように、レンズ２４２は、１つの中央レンズ２４２ａと６つの周辺レンズ２４２ｂとによって構成されている。そして、中央レンズ２４２ａ及び周辺レンズ２４２ｂは、それぞれが図７に示すレンズ挿入穴２４１ｄの開口Ｎ１〜Ｎ７に挿入され、セグメント２４０ａ（図４参照）となる。なお、図８（ｂ）では、セグメント２４０ａの１つ１つをセグメントＳ１〜Ｓ７として示す。
【００６４】
ここで、中央レンズ２４２ａの上下には、図７に示すレンズ挿入穴２４１ｄの開口Ｎ４に挿入した際に中央レンズ２４２ａを支持するための２つの支持片２４２ｃが設けられている。また、６つの周辺レンズ２４２ｂは、支持板２４２ｄによって支持（一体成形）されており、各周辺レンズ２４２ｂを一度に、図７に示すレンズ挿入穴２４１ｄの開口Ｎ１〜Ｎ３、Ｎ５〜Ｎ７に挿入できるようになっている。そのため、中央レンズ２４２ａ及び周辺レンズ２４２ｂの２分割構成となり、各周辺レンズ２４２ｂが１つずつ分割されている場合（中央レンズ２４２ａと６つの周辺レンズ２４２ｂとの７分割構成）に比べ、部品点数が大幅に削減されるので、生産性が向上する。なお、支持板２４２ｄの中央部は、中央レンズ２４２ａを配置するための開口部２４２ｅとなっている。
【００６５】
このように、レンズ２４２は、中央レンズ２４２ａ及び周辺レンズ２４２ｂによって構成され、開口部２４２ｅに中央レンズ２４２ａを配置することにより、図８（ｂ）に示すように、８字形となって０〜９の１０種類の数字が表示可能となる。すなわち、中央レンズ２４２ａ及び周辺レンズ２４２ｂが図７に示すレンズ挿入穴２４１ｄの開口Ｎ１〜Ｎ７に挿入されて７個のセグメントＳ１〜Ｓ７を構成する。
【００６６】
したがって、例えば、発光ダイオード２４５ａ（図６参照）によってセグメントＳ１（周辺レンズ２４２ｂ）、セグメントＳ３（周辺レンズ２４２ｂ）、セグメントＳ４（中央レンズ２４２ａ）、及びセグメントＳ７（周辺レンズ２４２ｂ）を発光させれば「４」が表示され、セグメントＳ２（周辺レンズ２４２ｂ）、セグメントＳ３（周辺レンズ２４２ｂ）、セグメントＳ４（中央レンズ２４２ａ）、セグメントＳ５（周辺レンズ２４２ｂ）、及びセグメントＳ６（周辺レンズ２４２ｂ）を発光させれば「２」が表示される。
【００６７】
また、各セグメントＳ１〜Ｓ７同士の間には、それぞれスリット２４２ｆが形成されるようになっているので、セグメントＳ１〜Ｓ７の一部を発光させた際に、隣接する他のセグメントＳ１〜Ｓ７への光漏れが防止される。そして、スリット２４２ｆは、各セグメントＳ１〜Ｓ７同士の間で、隣接する他のセグメントＳ１〜Ｓ７への光漏れを確実に防止できるように、各セグメントＳ１〜Ｓ７同士の隣接領域の全長（セグメントＳ１とセグメントＳ５、セグメントＳ３とセグメントＳ７との間では、隣接領域の全長以上）にわたって形成されており、スリット２４２ｆとリブ２４１ｅとによって一層確実に近隣への光漏れが防止されることとなる。
【００６８】
したがって、スリット２４２ｆが形成されていない場合には、表示された数字の視認性や美観性が隣接する他のセグメントＳ１〜Ｓ７からの光漏れによって損なわれてしまうが、スリット２４２ｆの存在によって各セグメントＳ１〜Ｓ７の間が遮光性を有することとなり、発光させていないセグメントＳ１〜Ｓ７に対する光漏れがなくなるので、表示された数字の視認性及び美観性が向上する。
【００６９】
さらに、中央レンズ２４２ａ及び周辺レンズ２４２ｂの表面には、レンズカットが施されているので、キラキラ感が出る。なお、中央レンズ２４２ａ及び周辺レンズ２４２ｂの表面を凹凸形状にしたり、スモークを入れる（光透過率を１００％未満にする）ことにより、スリット２４２ｆによる遮光性を相乗的に高めることもできる。
【００７０】
図９は、７セグユニット２４０を構成するリフレクタ２４４を示す正面図である。
リフレクタ２４４は、発光ダイオード２４５ａ（図６参照）が発した光を対応するセグメントＳ１〜Ｓ７（図８（ｂ）参照）に個別に導くものであり、透明樹脂（アクリル樹脂等）やガラス等からなるものである。そして、リフレクタ２４４は、図９に示すように、セグメントＳ１〜Ｓ７に対応して８字形に配置された反射面２４４ａを有しており、各反射面２４４ａは、８字形が横３列に並ぶようにしてリフレクタ本体２４４ｂに支持されている。このようなリフレクタ２４４は、リフレクタ本体２４４ｂの周囲に形成された４つのリフレクタ取付け穴２４４ｃにより、横３列に並べられたレンズ２４２（図６参照）の後面側に取り付けられる。
【００７１】
ここで、各反射面２４４ａは、中央に開口する導光口２４４ｄの周囲の傾斜部２４４ｅによって形成されたものである。そして、傾斜部２４４ｅには、稜線２４４ｆが存在するが、この稜線２４４ｆは、目立たないようになされている。すなわち、反射面２４４ａ（傾斜部２４４ｅ）は、稜線２４４ｆが目立たない微細な凹凸形状（本実施形態では、シボ加工が施されたシボ２４４ｇ）に形成されている。
【００７２】
したがって、導光口２４４ｄから入る発光ダイオード２４５ａ（図６参照）の光がシボ２４４ｇによって散乱するので、従来は、微細な線が入って外観上好ましくなかった稜線２４４ｆが目立たなくなり、表示が鮮明になる結果、装飾性に優れたものとなる。なお、シボ加工は、表面の滑らかさを意図的に粗くする処理であり、微細な凹凸を有する金型を用いて成形する他、滑らかな成形品にショット等の細粒を衝突させて微細な凹凸を形成しても良い。
【００７３】
このように、リフレクタ２４４の反射面２４４ａ（傾斜部２４４ｅ）は、稜線２４４ｆが目立たないようにシボ２４４ｇが形成されている。しかも、シボ２４４ｇによって拡散された光は、散乱光となってリフレクタ２４４の前方へ投光され、均一に面状発光する。すなわち、発光ダイオード２４５ａ（図６参照）が発した光がリフレクタ２４４によって散乱光となり、拡散シート２４３（図６参照）を介してレンズ２４２（図６参照）に到達するようになるので、稜線２４４ｆが目立たないだけでなく、各セグメントＳ１〜Ｓ７（図８（ｂ）参照）がそれぞれ均一に全体的に発光するように見える。なお、シボ２４４ｇではなく、反射面２４４ａ（傾斜部２４４ｅ）を曇りガラス状に形成することにより、稜線２４４ｆを目立たないようにすることもできる。
【００７４】
図１０は、７セグユニット２４０を構成する７セグ表示基板カバー２４６を示す背面図である。
図１０に示すように、７セグ表示基板カバー２４６は、７セグ表示基板２４５を収容するものであり、隅角部に形成された４つの基板カバー取付け穴２４６ｂによってレンズハウス２４１（図７参照）の後面側に取り付けられる。
【００７５】
また、７セグ表示基板カバー２４６の上下には、複数のスリット穴２４６ｃが開口している。このスリット穴２４６ｃは、７セグ表示基板２４５の結露対策及び発熱対策のために設けられたものであり、７セグ表示基板２４５に結露した水滴がスリット穴２４６ｃを通して蒸発するようにするとともに、抵抗２４５ｂの熱がスリット穴２４６ｃから逃げるようにしている。すなわち、発光ダイオード２４５ａ（図６参照）の周りであって、７セグ表示基板２４５の周囲には、複数の抵抗２４５ｂが実装されているが、この抵抗２４５ｂの熱が発光ダイオード２４５ａの発光に悪影響を及ぼさないように、発光ダイオード２４５ａから離した場所に抵抗２４５ｂを配置し、その熱がスリット穴２４６ｃを通して放熱されるようにしている。
【００７６】
さらにまた、７セグ表示基板カバー２４６は、内容量を減らして７セグ表示基板２４５の結露対策を施している。すなわち、７セグ表示基板２４５の凹凸に合わせて、背面部２４６ｄに対して一段凹ませた段差部２４６ｅを設けている。そのため、７セグ表示基板カバー２４６内に余分な空間がなくなり、結露が生じにくくなる。
【００７７】
さらに、７セグ表示基板カバー２４６には、７セグ表示基板２４５に接続される配線を引っ掛けておくための４つのフック２４６ｆが設けられている。このフック２４６ｆは、指が入りやすく形成されており、配線を指で簡単に引っ掛けられるようにすることで、組立て作業性の向上を図っている。なお、背面部２４６ｄには、サブ基板ベース２４７（図６参照）を取り付けるための２つのサブ基板ベース取付け穴２４６ｇが設けられている。
【００７８】
このように、７セグユニット２４０は、レンズハウス２４１、レンズ２４２、リフレクタ２４４、７セグ表示基板２４５、７セグ表示基板カバー２４６等によって構成され、７個のセグメントＳ１〜Ｓ７を一組として０〜９の１０種類の数字を３桁で表示できる。すなわち、レンズハウス２４１には、８字形に配置された７個の断片状の開口Ｎ１〜Ｎ７からなるレンズ挿入穴２４１ｄが横３列で並べられ、各開口Ｎ１〜Ｎ７にレンズ２４２が挿入されてセグメントＳ１〜Ｓ７となる。
【００７９】
また、レンズ２４２の背後には、セグメントＳ１〜Ｓ７に対応して発光ダイオード２４５ａが配置され、発光ダイオード２４５ａが発した光がリフレクタ２４４によって対応するセグメントＳ１〜Ｓ７に個別に導かれる。そのため、発光ダイオード２４５ａの発光により、３桁の数字が表示されるようになる。なお、７セグユニット２４０は、エスカッション２３０（図４参照）等の後面側に取り付けられ、７セグメント表示器２００（図４参照）となる。
【００８０】
図１１は、本実施形態のスロットマシン１０における７セグメント表示器２００を示す後面側の斜視図である。
また、図１２は、本実施形態のスロットマシン１０における７セグメント表示器２００を示す上面図である。
図１１及び図１２に示すように、７セグメント表示器２００は、セグメントマスク２１０の後面側にエスカッション２３０が取り付けられ、エスカッション２３０に、レンズハウス２４１、７セグ表示基板カバー２４６、サブ基板ベース２４７、サブ基板カバー２４９等によって構成される７セグユニット２４０（図４参照）が取り付けられたものである。なお、エスカッション２３０には、スピーカ２２も取り付けられている。
【００８１】
ここで、エスカッション２３０は、エスカッション取付け片２３３により、ネジ２５１によってセグメントマスク２１０に固定され、スピーカ２２は、ネジ２５２によってエスカッション２３０に固定される。
【００８２】
また、７セグ表示基板カバー２４６は、ネジ２５４によってレンズハウス２４１に固定され、サブ基板ベース２４７は、基板ベース取付け片２４７ａにより、ネジ２５５によって７セグ表示基板カバー２４６に固定され、サブ基板カバー２４９は、カシメピン２５０によってサブ基板ベース２４７に固定される。なお、７セグ表示基板カバー２４６には、結露対策及び発熱対策のためのスリット穴２４６ｃと、配線を引っ掛けておくためのフック２４６ｆが設けらている。
【００８３】
さらにまた、レンズハウス２４１、７セグ表示基板カバー２４６、サブ基板ベース２４７、サブ基板カバー２４９等によって構成される７セグユニット２４０（図４参照）は、レンズハウス２４１に設けられた７セグユニット取付け片２４１ａにより、ネジ２５３によってエスカッション２３０に固定される。そして、７セグユニット２４０の取付けの際には、レンズハウス２４１の７セグユニットガイド２４１ｂがエスカッション２３０の７セグユニット位置決め片２３４に載置されて位置決めとなる。そのため、７セグユニット２４０の取付け作業性が向上する。
【００８４】
さらに、このような７セグメント表示器２００は、エスカッション２３０の表示器取付け片２３５により、フロントマスク部１２（図１参照）の前面側から挿入するだけで簡単にフロントマスク部１２に取り付けることができる。
【００８５】
図１３は、本実施形態のスロットマシン１０における７セグメント表示器２００を示す断面図である。
図１３に示すように、７セグメント表示器２００は、セグメントマスク２１０、セグメントマスク２１０の後面側に取り付けられる透明な保護パネル２２０、保護パネル２２０を支持するエスカッション２３０、及び０〜９の１０種類の数字を３桁で表示可能な７セグユニット２４０によって構成されている。
【００８６】
また、７セグユニット２４０は、レンズハウス２４１、レンズ２４２、拡散シート２４３、シボ加工が施された反射面２４４ａを備えるリフレクタ２４４、発光ダイオード２４５ａが実装された７セグ表示基板２４５、７セグ表示基板カバー２４６、サブ基板ベース２４７、サブ制御基板２４８、及びサブ基板カバー２４９によって構成されている。
【００８７】
このような７セグメント表示器２００において、サブ制御基板２４８の制御によって発光ダイオード２４５ａが発光すると、その光が反射面２４４ａによって散乱光となってリフレクタ２４４の前方へ投光される。そして、拡散シート２４３によって拡散されてレンズ２４２に到達する。そのため、レンズ２４２は、均一に光るようになる。
【００８８】
また、７セグユニット２４０がエスカッション２３０に取り付けられると、レンズハウス２４１の周囲に設けられた通気口形成部２４１ｃにより、通気口２６０が形成される。すなわち、エスカッション２３０に設けられた突起部２３９とレンズハウス２４１の通気口形成部２４１ｃとの間に一定の隙間が形成され、この隙間が通気口２６０となり、レンズ２４２の表面側がレンズハウス２４１の外部に連通する。そのため、保護パネル２２０の後面側や７セグユニット２４０の前面側に結露が発生することがあっても、その結露が通気口２６０から蒸発するようになるので、効果的な結露対策となる。
【００８９】
さらにまた、通気口２６０は、リフレクタ２４４によってレンズ２４２に導かれた発光ダイオード２４５ａの光をレンズハウス２４１の外部に漏らさない形状となっている。すなわち、通気口２６０は、レンズハウス２４１の通気口形成部２４１ｃとエスカッション２３０の突起部２３９とから構成されており、突起部２３９は、通気口形成部２４１ｃの内側に突出している。そのため、通気口２６０に向かう光が突起部２３９や通気口形成部２４１ｃによって遮光されることとなり、レンズハウス２４１の外部に光が漏れなくなっている。
【００９０】
さらに、７セグ表示基板２４５の後面側に結露が発生した場合には、７セグ表示基板カバー２４６に設けられたスリット穴２４６ｃ（図１０参照）から蒸発する。また、７セグ表示基板２４５が発する熱も、スリット穴２４６ｃを通して放熱される。そのため、７セグメント表示器２００は、内部の結露対策及び発熱対策が施されたものとなっている。
【００９１】
以上、本発明の実施形態について説明したが、本発明は、上述した実施形態に限定されることなく、例えば、以下のような種々の変形が可能である。
（１）本実施形態では、遊技機の１つとして、スロットマシン１０に適用した例を示したが、これに限ることなく、弾球遊技機等に適用することもできる。
（２）本実施形態では、演出表示装置として、７個のセグメントが一組となって０〜９の１０種類の数字が表示可能であり、それを３桁とした７セグメント表示器２００を例として示したが、これに限ることなく、セグメントの数や組合せ、レンズハウスの開口の配置等を変え、アルファベット等の文字を表示できるようにした演出表示装置であっても良い。
（３）本実施形態では、１つの中央レンズ２４２ａと７つの周辺レンズ２４２ｂとが別々に構成された２分割のレンズ２４２としているが、中央レンズ２４２ａ及び周辺レンズ２４２ｂが一体成形されたレンズを使用しても良い。そして、一体成形の１つのレンズを用いる場合には、隣接する他のセグメントＳ１〜Ｓ７への光漏れを防止するために、各セグメントＳ１〜Ｓ７同士の間に、それぞれスリットを形成しておく。
【図面の簡単な説明】
【００９２】
【図１】本実施形態のスロットマシンを示す前面側の正面図である。
【図２】図１中、スロットマシンのフロントマスク部を開放し、基体部の内部が見えるように図示した正面図である。
【図３】本実施形態のスロットマシンによる制御の概略を示すブロック図である。
【図４】本実施形態のスロットマシンにおける７セグメント表示器の構成を示す分解斜視図である。
【図５】本実施形態のスロットマシンにおける７セグメント表示器の構成を示す分解背面図である。
【図６】７セグメント表示器における７セグユニットの構成を示す分解斜視図である。
【図７】７セグユニットを構成するレンズハウスを示す背面図及び斜視図である。
【図８】７セグユニットを構成するレンズを示す正面図である。
【図９】７セグユニットを構成するリフレクタを示す正面図である。
【図１０】７セグユニットを構成する７セグ表示基板カバーを示す背面図である。
【図１１】本実施形態のスロットマシンにおける７セグメント表示器を示す後面側の斜視図である。
【図１２】本実施形態のスロットマシンにおける７セグメント表示器を示す上面図である。
【図１３】本実施形態のスロットマシンにおける７セグメント表示器を示す断面図である。
【符号の説明】
【００９３】
１０  スロットマシン（遊技機）
１１  基体部
１２  フロントマスク部
１３  透明窓
２１ａ  上部ランプ
２１ｂ  サイドランプ
２１ｃ  バックランプ
２２  スピーカ
３０  図柄変動表示装置
３１  リール
３２  モータ
４０  ベットスイッチ
４１  スタートスイッチ
４２  ストップスイッチ
４３  メダル投入口
６０  遊技制御手段
６０ａ  メイン制御手段
６０ｂ  サブ制御手段
６１  役抽選手段
６２  役抽選テーブル
６３  リール制御手段
６４  停止位置決定テーブル
６５  停止図柄判別手段
６６  払出し手段
６７  特別遊技制御手段
６８  情報送信手段
７１  情報受信手段
７２  演出パターン記憶手段
７３  演出パターン選択手段
７４  演出制御手段
１０１  電源ユニット
１０２  メダル払出し装置
１０３  リールベース
１０４  メイン制御基板
１０５  メイン基板ケース
２００  ７セグメント表示器（演出表示装置）
２１０  セグメントマスク
２１１  表示窓
２１２  小窓
２１３  エスカッション取付けネジ穴
２２０  保護パネル
２３０  エスカッション
２３１  保護パネル取付け穴
２３２  スピーカ取付け穴
２３３  エスカッション取付け片
２３４  ７セグユニット位置決め片
２３５  表示器取付け片
２３６  段差部
２３７  ７セグユニット取付けネジ穴
２３８  スピーカ取付けネジ穴
２３９  突起部
２４０  ７セグユニット
２４０ａ  セグメント
２４１  レンズハウス
２４１ａ  ７セグユニット取付け片
２４１ｂ  ７セグユニットガイド
２４１ｃ  通気口形成部
２４１ｄ  レンズ挿入穴
２４１ｅ  リブ（光漏れ防止壁）
２４２  レンズ
２４２ａ  中央レンズ
２４２ｂ  周辺レンズ
２４２ｃ  支持片
２４２ｄ  支持板
２４２ｅ  開口部
２４２ｆ  スリット
２４３  拡散シート
２４４  リフレクタ
２４４ａ  反射面
２４４ｂ  リフレクタ本体
２４４ｃ  リフレクタ取付け穴
２４４ｄ  導光口
２４４ｅ  傾斜部
２４４ｆ  稜線
２４４ｇ  シボ
２４５  ７セグ表示基板
２４５ａ  発光ダイオード（発光部材）
２４５ｂ  抵抗
２４６  ７セグ表示基板カバー
２４６ａ  収容部
２４６ｂ  基板カバー取付け穴
２４６ｃ  スリット穴
２４６ｄ  背面部
２４６ｅ  段差部
２４６ｆ  フック
２４６ｇ  サブ基板ベース取付け穴
２４７  サブ基板ベース
２４７ａ  基板ベース取付け片
２４８  サブ制御基板
２４９  サブ基板カバー
２５０  カシメピン
２５１  ネジ
２５２  ネジ
２５３  ネジ
２５４  ネジ
２５５  ネジ
２６０  通気口
Ｎ１〜Ｎ７  開口
Ｓ１〜Ｓ７  セグメント
【図１】
2009178438.tif 000003
【図２】
2009178438.tif 000004
【図３】
2009178438.tif 000005
【図４】
2009178438.tif 000006
【図５】
2009178438.tif 000007
【図６】
2009178438.tif 000008
【図７】
2009178438.tif 000009
【図８】
2009178438.tif 000010
【図９】
2009178438.tif 000011
【図１０】
2009178438.tif 000012
【図１１】
2009178438.tif 000013
【図１２】
2009178438.tif 000014
【図１３】
2009178438.tif 000015